(57)【特許請求の範囲】
【請求項１】
ドクターブレードをドクターブレード保持器に保持させる際に用いられるドクターブレード刃先長設定治具であって、
前記ドクターブレードを保持可能な、上部ドクターホルダと、下部ドクターホルダと、これらの上部ドクターホルダおよび下部ドクターホルダを締結する締結ボルトとから構成されるドクターブレード保持器に前記ドクターブレードを保持させる際に、前記上部ドクターホルダの前面および前記下部ドクターホルダの前面を保持部の前面に当接させながら、このドクターブレードを挟持し、前記ドクターブレードを前記ドクターブレード保持器に保持させた後にこのドクターブレードを解放するような保持部と、
前記ドクターブレードの着脱を行うよう前記保持部を動作させるためのハンドル部と、
前記保持部に設けられ、前記ドクターブレードが当該保持部により保持された際にこのドクターブレードの先端が当接する刃先突き当て部と、
を備え、
前記保持部は、基台と、前記基台に対して軸を中心として回動自在となっている挟持部材とを有し、前記ドクターブレードは前記基台と前記挟持部材との間で挟持されるようになっており、
前記ハンドル部は、前記保持部の前記基台に取り付けられた下部ハンドル部分と、前記挟持部材に取り付けられた上部ハンドル部分と、前記下部ハンドル部分および前記上部ハンドル部分を接続するバネであって、前記下部ハンドル部分および前記上部ハンドル部分に、当該バネにおける圧縮に対する反発力を及ぼすようになっているバネとを有することを特徴とするドクターブレード刃先長設定治具。
【請求項２】
前記刃先突き当て部は、前記保持部に対して摺動自在となっており、
前記保持部に設けられ、当該保持部に対する前記刃先突き当て部の位置を調整するための位置調整部を更に備えたことを特徴とする請求項１記載のドクターブレード刃先長設定治具。
【請求項３】
前記保持部には、前記刃先突き当て部の位置を示すための目盛が形成されていることを特徴とする請求項２記載のドクターブレード刃先長設定治具。
【請求項４】
請求項１乃至３のいずれか一項に記載のドクターブレード刃先長設定治具を用いることによりドクターブレード保持器にドクターブレードを取り付けるドクターブレード取付方法であって、
前記ドクターブレード刃先長設定治具の刃先突き当て部に前記ドクターブレードの先端を当接させてこのドクターブレードの位置決めを行う工程と、
前記ドクターブレード刃先長設定治具の保持部に、前記刃先突き当て部によって位置決めされた前記ドクターブレードを保持させる工程と、
前記保持部により保持された前記ドクターブレードを前記ドクターブレード保持器に保持させる工程と、
前記ドクターブレード保持器により保持された前記ドクターブレードを前記ドクターブレード刃先長設定治具の保持部から解放する工程と、
を備えたことを特徴とするドクターブレード取付方法。
【請求項５】
前記ドクターブレード刃先長設定治具の刃先突き当て部に前記ドクターブレードの先端を当接させてこのドクターブレードの位置決めを行う前に、前記ドクターブレード刃先長設定治具の保持部に対する前記刃先突き当て部の位置を予め調整することを特徴とする請求項４記載のドクターブレード取付方法。
【請求項６】
ドクターブレード刃先長設定治具は２つ用いられ、各ドクターブレード刃先長設定治具はドクターブレードの両端近傍をそれぞれ保持するようになっていることを特徴とする請求項４または５記載のドクターブレード取付方法。
【発明の詳細な説明】
【技術分野】
【０００１】
本発明は、ドクターブレードをドクターブレード保持器に保持させる際に用いられるドクターブレード刃先長設定治具、およびドクターブレード保持器にドクターブレードを取り付けるドクターブレード取付方法に関する。
【背景技術】
【０００２】
従来より、フィルム、紙等のウェブ状被印刷物に印刷加工を施すグラビア印刷機において、版胴に付着したインキのうち余分なものを掻き落とすためにドクター装置が用いられている。このようなドクター装置は、ドクターブレードと、当該ドクターブレードを保持するためのドクターブレード保持器とから構成されている。ここで、ドクターブレード保持器に対するドクターブレードの先端（刃先）の位置決め方法として、様々なものが知られている。
【０００３】
このようなドクター装置について具体的に説明する。ドクターブレードとしては、帯状の可撓性鋼板が用いられることが多い。このドクターブレードは２枚の平らな角棒状の高剛性材料（例えば鋼材）からなるホルダに挟持された上で、この一対のホルダをボルト等で締結することによりドクターブレードが固定される。ここで、一対のホルダおよびボルトから前述のドクターブレード保持器が構成されている。
【０００４】
ドクターブレードが前後方向（ドクターブレードの幅に対して直角な方向）においてドクターブレード保持器から突出する長さ（本明細書では、「刃先長」ともいう。）は、従来、作業者が手作業により調整を行っていた。そして、この刃先長の確認も、作業者がスケールを使用し、目視にて行っていた。しかしながら、このような手作業による方法では作業負荷や作業時間が大きいという問題があり、また前後方向の刃先長のずれ、あるいは左右方向（幅方向）の刃先長のずれが生じやすいという問題もあった。
【０００５】
また、一般的に、設定されるべき刃先長は一定の大きさに限定されず、印刷物の絵柄や使用インキの種類、あるいはドクターブレードの材料等により最適な刃先長は異なるようになっている。このため、各々の条件に対応するような刃先長を都度設定するにあたり、手作業による方法ではさらなる作業負荷の増大や刃先長のずれ、あるいは設定の間違いが生じていた。上記のような刃先長のずれや間違いがある場合には、ドクター装置と版胴との位置関係、あるいはドクターブレードの版胴への押圧力等の他の印刷条件が最適なものであった場合であっても、ドクターブレードの撓みに差異が生じることとなる。このため、例えば同一絵柄を再度印刷する場合に、その印刷結果に違いが生じてしまうという問題があった。
【０００６】
治具を用いることによりドクターブレードの刃先長を一定にする方法としては、例えば特許文献１に記載されるようなものが知られている。この方法について具体的に説明すると、まずドクターブレードの全幅にわたって当該ドクターブレードの刃先側を２枚の鋼板（治具）で挟持する。次に、この２枚の鋼板をボルトで締結した後、治具の先端をドクターブレード保持器の前面に突き合わせて位置決めを行う。そして、ドクターブレード保持器側のボルトを締結した後、治具を外すことにより刃先長の設定を行う。
【０００７】
【特許文献１】昭５８−５０１２７５号公報
【発明の開示】
【発明が解決しようとする課題】
【０００８】
しかしながら、特許文献１に示すような方法においては、使用される治具はドクターブレードを全幅にわたって挟持するものであるため、治具の大型化や重量の増大により作業者の作業負荷が大きくなってしまうという問題がある。また、設定される刃先長は一種類の値に限定されるので、ドクターブレードの刃先長の変更には対応していない。さらに、治具におけるドクターブレードの固定方法はボルト締結であり、ドクターブレードの刃先長の設定作業が複雑であるという問題がある。
【０００９】
本発明は、このような点を考慮してなされたものであり、ドクターブレードをドクターブレード保持器に保持させる際に、ドクターブレードの刃先長を容易かつ精度良く所望の長さに設定することができるドクターブレード刃先長設定治具およびドクターブレード取付方法を提供することを目的とする。
【課題を解決するための手段】
【００１０】
本発明は、ドクターブレードをドクターブレード保持器に保持させる際に用いられるドクターブレード刃先長設定治具であって、前記ドクターブレードを保持可能な、上部ドクターホルダと、下部ドクターホルダと、これらの上部ドクターホルダおよび下部ドクターホルダを締結する締結ボルトとから構成されるドクターブレード保持器に前記ドクターブレードを保持させる際に、前記上部ドクターホルダの前面および前記下部ドクターホルダの前面を保持部の前面に当接させながら、このドクターブレードを挟持し、前記ドクターブレードを前記ドクターブレード保持器に保持させた後にこのドクターブレードを解放するような保持部と、前記ドクターブレードの着脱を行うよう前記保持部を動作させるためのハンドル部と、前記保持部に設けられ、前記ドクターブレードが当該保持部により保持された際にこのドクターブレードの先端が当接する刃先突き当て部と、を備え、前記保持部は、基台と、前記基台に対して軸を中心として回動自在となっている挟持部材とを有し、前記ドクターブレードは前記基台と前記挟持部材との間で挟持されるようになっており、前記ハンドル部は、前記保持部の前記基台に取り付けられた下部ハンドル部分と、前記挟持部材に取り付けられた上部ハンドル部分と、前記下部ハンドル部分および前記上部ハンドル部分を接続するバネであって、前記下部ハンドル部分および前記上部ハンドル部分に、当該バネにおける圧縮に対する反発力を及ぼすようになっているバネとを有することを特徴とするドクターブレード刃先長設定治具である。
【００１１】
このようなドクターブレード刃先長設定治具によれば、ドクターブレードをドクターブレード保持器に保持させる際にこのドクターブレード保持器をドクターブレード刃先長設定治具の保持部に当接させることにより、このドクターブレードの刃先長を容易に所望の長さに設定することができる。また、ドクターブレード刃先長設定治具はドクターブレードを全幅にわたって挟持する必要がないため、作業者は容易にドクターブレードの刃先長の設定作業を行うことができる。さらに、作業者がハンドル部を把持することにより保持部におけるドクターブレードの着脱を行うことができるので、例えばボルト締結によりドクターブレードを刃先長の設定治具に固定する方法と比較してドクターブレードの刃先長の設定作業をより簡易に行うことができるようになる。
【００１２】
本発明のドクターブレード刃先長設定治具においては、前記刃先突き当て部は、前記保持部に対して摺動自在となっており、前記保持部に設けられ、当該保持部に対する前記刃先突き当て部の位置を調整するための位置調整部を更に備えたことが好ましい。このことにより、作業者は保持部に対する刃先突き当て部の位置を的確かつ容易に調整することができ、ドクターブレードの設定刃先長を容易に変更することができる。
【００１３】
本発明のドクターブレード刃先長設定治具においては、前記保持部には、前記刃先突き当て部の位置を示すための目盛が形成されていることが好ましい。このことにより、作業者が保持部に対する刃先突き当て部の位置を調整する際に、目盛を確認しながら作業を行うことによりこの刃先突き当て部の位置をより正確に設定することができ、ドクターブレードの刃先長をより精度良く設定することができる。
【００１４】
本発明は、上述のようなドクターブレード刃先長設定治具を用いることによりドクターブレード保持器にドクターブレードを取り付けるドクターブレード取付方法であって、前記ドクターブレード刃先長設定治具の刃先突き当て部に前記ドクターブレードの先端を当接させてこのドクターブレードの位置決めを行う工程と、前記ドクターブレード刃先長設定治具の保持部に、前記刃先突き当て部によって位置決めされた前記ドクターブレードを保持させる工程と、前記保持部により保持された前記ドクターブレードを前記ドクターブレード保持器に保持させる工程と、前記ドクターブレード保持器により保持された前記ドクターブレードを前記ドクターブレード刃先長設定治具の保持部から解放する工程と、を備えたことを特徴とするドクターブレード取付方法である。
【００１５】
このようなドクターブレード取付方法によれば、ドクターブレードをドクターブレード保持器に保持させる際にこのドクターブレード保持器をドクターブレード刃先長設定治具の保持部に当接させることにより、ドクターブレードの刃先長を容易に所望の長さに設定することができる。また、ドクターブレード刃先長設定治具はドクターブレードの全幅にわたって挟持する必要がないため、作業者は容易にドクターブレードの刃先長の設定作業を行うことができる。
【００１６】
本発明のドクターブレード取付方法においては、前記ドクターブレード刃先長設定治具の刃先突き当て部に前記ドクターブレードの先端を当接させてこのドクターブレードの位置決めを行う前に、前記ドクターブレード刃先長設定治具の保持部に対する前記刃先突き当て部の位置を予め調整することが好ましい。このことにより、作業者はドクターブレードの設定刃先長を容易に変更することができる。
【００１７】
本発明のドクターブレード取付方法においては、ドクターブレード刃先長設定治具は２つ用いられ、各ドクターブレード刃先長設定治具はドクターブレードの両端近傍をそれぞれ保持するようになっていることが好ましい。このことにより、ドクターブレード刃先長設定治具の寸法を小さくすることができるとともにドクターブレードの全幅にわたって刃先長を精度良く設定することができるようになる。
【発明の効果】
【００１８】
本発明のドクターブレード刃先長設定治具およびドクターブレード取付方法によれば、ドクターブレードをドクターブレード保持器に保持させる際に、ドクターブレードの刃先長を容易かつ精度良く所望の長さに設定することができる。
【発明を実施するための最良の形態】
【００１９】
以下、図面を参照して本発明の実施の形態について説明する。図１乃至図４は、本発明によるドクターブレード刃先長設定治具の一の実施の形態を示す図である。
このうち、図１は、本実施の形態のドクターブレード刃先長設定治具の構成を示す概略側面図であり、図２は、図１に示すドクターブレード刃先長設定治具を用いてドクターブレードをドクターブレード保持器に保持させる際の状態を示す概略側面図であり、図３は、図１に示すドクターブレード刃先長設定治具の保持部および刃先突き当て部の構成の詳細を示す斜視図である。また、図４は、ドクターブレード保持器に保持されたドクターブレードが印刷ユニットの版胴を摺擦する際の状態を示す概略構成図である。
本実施の形態のドクターブレード刃先長設定治具は、ドクターブレードをドクターブレード保持器に保持させる際に、このドクターブレードの刃先長を設定するために用いられるものである。
【００２０】
まず、ドクターブレードおよびこのドクターブレードを保持するドクターブレード保持器について図４を用いて説明する。ドクターブレード保持器により保持されたドクターブレードは、ドクター装置の一部を構成している。図４は、このようなドクター装置を備えた印刷ユニットの構成を示している。
【００２１】
図４に示すように、印刷ユニット４０は、連続的に搬送されるフィルム、紙等のウェブ状被印刷物Ｗの表面に対してインキを付着させることにより印刷を行うよう構成されている。この印刷ユニット４０は、インキを貯留するインキパン４１と、インキパン４１内のインキがファニッシャーロール４２を介して送られる版胴４３と、版胴４３との間でウェブ状被印刷物Ｗを挟持して印刷を行う圧胴４４と、版胴４３の表面に付着した余剰インキを掻き取るドクター装置４５とを備えている。
【００２２】
ファニッシャーロール４２は、その外周面がインキパン内のインキに浸るよう設けられており、図４の矢印方向に回転することによりインキパン内のインキが外周面に付着するようになっている。
【００２３】
版胴４３は、ファニッシャーロール４２に当接するとともに、圧胴４４により押圧されてニップ点Ｎを形成するようになっている。この版胴４３の表面には複数のセル（窪み）が形成されており、ファニッシャーロール４２と当接することによりこのファニッシャーロール４２の外表面に付着したインキが各セル内に充填される。しかしながら、ファニッシャーロール４２の外表面から版胴４３に送られるインキのうち、各セル内に充填されなかった余剰インキは当該版胴４３の外表面に付着してしまう。
【００２４】
ドクター装置４５は、版胴４３の回転方向におけるファニッシャーロール４２の下流側であって圧胴４４の上流側の位置に設けられている。このドクター装置４５のドクターブレード２０は、版胴４３の外表面を摺擦することにより、版胴４３の各セル内に充填されたインキをそのままの状態で維持しながら外表面に付着した余剰インキを掻き落とすようになっている。このドクター装置４５は、ドクター架台４６と、ドクター架台４６に取り付けられ、版胴４３に向かって進退自在となっているドクターブレード保持器３０と、ドクターブレード保持器３０に保持された前述のドクターブレード２０とから構成されている。
【００２５】
ドクターブレード２０は、例えば帯状の可撓性鋼板から構成されており、その刃先は図４に示すように鋭角状となっている。また、ドクターブレード保持器３０は、上部ドクターホルダ３１と、下部ドクターホルダ３２と、これらの上部ドクターホルダ３１および下部ドクターホルダ３２を締結する締結ボルト３３とから構成されており、ドクターブレード２０を上部ドクターホルダ３１および下部ドクターホルダ３２により挟持するようになっている。上部ドクターホルダ３１および下部ドクターホルダ３２は例えば鋼材からなる高剛性材料から構成されている。ドクターブレード２０が上部ドクターホルダ３１および下部ドクターホルダ３２の間に挟持された後、締結ボルト３３によって上部ドクターホルダ３１および下部ドクターホルダ３２の締結を行うことにより、ドクターブレード２０がドクターブレード保持器３０に対して固定される。
【００２６】
ドクターブレード２０およびドクターブレード保持器３０の幅方向長さ（図４の紙面に対して垂直な方向における長さ）は、版胴４３の幅方向長さと略同一となっている。
【００２７】
次に、このようなドクターブレード２０をドクターブレード保持器３０に保持させる際に用いられるドクターブレード刃先長設定治具１０の構成について説明する。ここで、ドクターブレード２０の刃先長とは、当該ドクターブレード２０においてドクターブレード保持器３０の上部ドクターホルダ３１および下部ドクターホルダ３２の前面３１ａ、３２ａから更に先端に向かって突出する長さのことをいう。
【００２８】
図１に示すように、ドクターブレード刃先長設定治具１０は、ドクターブレード２０を保持可能な保持部１１と、ドクターブレード２０の着脱を行うよう作業者が手動で保持部１１を動作させるためのハンドル部１２と、保持部１１に設けられ、ドクターブレード２０が保持部により保持された際にこのドクターブレード２０の先端が当接する刃先突き当て部材１３とを備えている。ここで、保持部１１は、図２に示すように、ドクターブレード２０をドクターブレード保持器３０に保持させる前にこのドクターブレード２０を保持し、その後、ドクターブレード２０をドクターブレード保持器３０に保持させた後に保持部１１はこのドクターブレード２０を解放するようになっている。また、刃先突き当て部材１３は保持部１１に対して摺動自在となっており、保持部１１には、この保持部１１に対する当該刃先突き当て部材１３の位置を調整するための位置調整部１４が取り付けられている。
以下、このようなドクターブレード刃先長設定治具１０の各構成要素について詳述する。
【００２９】
保持部１１は、図１に示すように基台１１ａと、この基台１１ａの後端部近傍に設けられた軸１１ｂと、軸１１ｂに枢支され基台１１ａに対して軸１１ｂを中心として回動自在となっている挟持部材１１ｃとから構成されている。そして、基台１１ａ上にドクターブレード２０を載置し、このドクターブレード２０の上面に向かって挟持部材１１ｃを（図１の反時計回りに）回動させることによりドクターブレード２０が基台１１ａと挟持部材１１ｃとの間に挟持されるようになっている。この保持部１１の幅方向長さ（図１の紙面に対して垂直な方向における長さ）は、例えば５０〜１００ｍｍの範囲内の大きさとなっている。図３に示すように、基台１１ａの表面には、刃先突き当て部材１３が摺動するための案内溝が中央に設けられている。
【００３０】
ハンドル部１２は、保持部１１の基台１１ａに取り付けられた下部ハンドル部分１２ａと、挟持部材１１ｃに取り付けられた上部ハンドル部分１２ｂと、下部ハンドル部分１２ａおよび上部ハンドル部分１２ｂを接続するバネ（スプリング）１２ｃとから構成されている。ここで、下部ハンドル部分１２ａおよび上部ハンドル部分１２ｂは、作業者が片手で把持することができるよう構成されている。具体的には、作業者がハンドル部１２を把持していないときには、図２に示すように下部ハンドル部分１２ａおよび上部ハンドル部分１２ｂはバネ１２ｃにおける圧縮に対する反発力によって略平行状態となり、基台１１ａおよび挟持部材１１ｃは近接した状態となる。一方、図１に示すように、下部ハンドル部分１２ａおよび上部ハンドル部分１２ｂを接近させるよう作業者がハンドル部１２を片手で把持したときには、保持部１１の基台１１ａに対して挟持部材１１ｃが軸１１ｂを中心として図１の矢印方向に回動し、この挟持部材１１ｃは基台１１ａから離間するようになる。ここで、ハンドル部１２の幅方向長さ（図１の紙面に対して垂直な方向における長さ）は、保持部１１の幅方向長さと略同一の大きさとなっている。
【００３１】
このようにして、ハンドル部１２を作業者が片手で把持することにより保持部１１はドクターブレード２０を解放する構造となっており、またハンドル部１２から作業者が手を離せばバネ１２ｃの反発力によりドクターブレード２０が保持部１１に保持される状態となる。
【００３２】
図１乃至図３、とりわけ図３に示すように、保持部１１の基台１１ａ上には刃先突き当て部材１３が摺動自在に載置されている。この刃先突き当て部材１３は、保持部１１によりドクターブレード２０が保持された際のこの保持部１１に対するドクターブレード２０の位置決めを行うために用いられる。
刃先突き当て部材１３は略直方体形状の耐摩耗性の高い樹脂等（例えばＭＣナイロン）から構成されている。このことにより、ドクターブレード２０の刃先が刃先突き当て部材１３に当接したときにおけるこの刃先の損傷を抑止することができるとともに、基台１１ａの損傷をも抑止することができるようになる。刃先突き当て部材１３の幅方向長さは、図３に示すように保持部１１の幅方向長さと略同一の大きさとなっている。また、図３に示すように、刃先突き当て部材１３の下面には、基台１１ａの案内溝に嵌合する突出部材が取り付けられている。
【００３３】
位置調整部１４は、図３に示すように、保持部１１の基台１１ａに対して鉛直方向上方に延びるよう取り付けられた当て板１４ａと、この当て板１４ａに設けられるとともに先端が刃先突き当て部材１３に取り付けられた調整ネジ１４ｂとから構成されている。当て板１４ａには雌ネジ穴が形成されており、この雌ネジ穴に調整ネジ１４ｂの雄ネジ部分が噛み合うようになっており、調整ネジ１４ｂを回転させることによりこの調整ネジ１４ｂ自体の当て板１４ａに対する位置を調整することができるようになっている。また、図３に示すように、調整ネジ１４ｂの先端にはフローティングジョイントが設けられており、このフローティングジョイントにより調整ネジ１４ｂと刃先突き当て部材１３の連結が行われている。このことにより、作業者が調整ネジ１４ｂを回転させて保持部１１の基台１１ａに対する刃先突き当て部材１３の進退方向位置（図３の左右方向位置）を調整することができる。
【００３４】
なお、図３に示すように、保持部１１の基台１１ａの両側面には刃先突き当て部材１３の位置を示すための目盛１１ｐが付されている。このことにより、作業者が調整ネジ１４ｂを回転させて保持部１１の基台１１ａに対する刃先突き当て部材１３の進退方向位置を調整する際に、目盛１１ｐを目視することによりこの刃先突き当て部材１３の位置をより正確に確認することができるようになる。
【００３５】
次に、このような構成からなる本実施の形態のドクターブレード刃先長設定治具１０の作用について説明する。具体的には、２つのドクターブレード刃先長設定治具１０を用いることによりドクターブレード２０をドクターブレード保持器３０に取り付ける方法について説明する。
【００３６】
まず、ドクターブレード２０をドクターブレード刃先長設定治具１０で保持させる前に、作業者は各々のドクターブレード刃先長設定治具１０における保持部１１の基台１１ａに対する刃先突き当て部材１３の位置を位置調整部１４により予め調整しておく。具体的には、作業者が位置調整部１４の調整ネジ１４ｂを回すことにより、目盛１１ｐを見ながら刃先突き当て部材１３の進退方向位置（図２の左右方向位置）を調整しておく。
【００３７】
次に、作業者が各々のドクターブレード刃先長設定治具１０のハンドル部１２を把持して保持部１１の基台１１ａと挟持部材１１ｃとを離間させる（図１参照）。そして、このような状態で、ドクターブレード２０の両端近傍における先端を、２つのドクターブレード刃先長設定治具１０の各刃先突き当て部材１３にそれぞれ当接させる。このことにより、ドクターブレード２０の位置決めを当該ドクターブレード２０の両端近傍において行う。
【００３８】
その後、作業者がハンドル部１２から手を離し、保持部１１の基台１１ａと挟持部材１１ｃとを接近させる（図２参照）。このことにより、刃先突き当て部材１３により位置決めされたドクターブレード２０が保持部１１により保持されることとなる。
【００３９】
そして、ドクターブレード２０の両端近傍が各々のドクターブレード刃先長設定治具１０により保持された状態で、このドクターブレード２０をドクターブレード保持器３０に保持させる。具体的には、上部ブレードホルダ３１の前面３１ａおよび下部ブレードホルダ３２の前面３２ａを保持部１１の前面に当接させながら（図２参照）、ドクターブレード２０をこれらの上部ブレードホルダ３１および下部ブレードホルダ３２で挟持させ、締結ボルト３３により上部ブレードホルダ３１および下部ブレードホルダ３２の締結を行う。このことにより、ドクターブレード２０がドクターブレード保持器３０に固定される。この際に、図２に示すように、ドクターブレード２０の刃先長が、当該ドクターブレード２０の保持部１１に挟まれた部分の長さとして設定される。
【００４０】
最後に、ドクターブレード保持器３０により固定されたドクターブレード２０を各々のドクターブレード刃先長設定治具１０の保持部１１から解放させる。このようにして、ドクターブレード保持器３０に対するドクターブレード２０の取り付け作業が完了する。
【００４１】
以上のように本実施の形態のドクターブレード刃先長設定治具１０によれば、ドクターブレード２０を保持可能な保持部１１およびドクターブレード２０の着脱を行うよう保持部１１を動作させるためのハンドル部１２を備えており、保持部１１には、ドクターブレード２０が当該保持部１１により保持された際にこのドクターブレード２０の先端が当接する刃先突き当て部材１３が設けられている。このため、ドクターブレード２０をドクターブレード保持器３０に保持させる際にこのドクターブレード保持器３０をドクターブレード刃先長設定治具１０の保持部１１に当接させることにより、このドクターブレード２０の刃先長を容易に所望の長さに設定することができる。また、ドクターブレード刃先長設定治具１０はドクターブレード２０を全幅にわたって挟持する必要がないため、作業者は容易にドクターブレード２０の刃先長の設定作業を行うことができる。さらに、ハンドル部１２により保持部１１におけるドクターブレード２０の着脱を行うことができるので、例えばボルト締結によりドクターブレード２０を刃先長の設定治具に固定する方法と比較してドクターブレード２０の刃先長の設定作業をより簡易に行うことができるようになる。
【００４２】
ここで、ドクターブレード刃先長設定治具１０として、幅方向長さ（図１の紙面に対して垂直な方向における長さ）が例えば５０〜１００ｍｍの範囲内の大きさのものを用いることが好ましい。ドクターブレード刃先長設定治具１０の幅方向長さが５０ｍｍよりも小さい場合には、ドクターブレード２０を刃先突き当て部材１３に当接させた際にこの刃先突き当て部材１３に対してドクターブレード２０を平行状態とすることが困難となり、ドクターブレード２０の刃先長を全幅にわたって所望の長さに設定することが難しくなる。一方、ドクターブレード刃先長設定治具１０の幅方向長さが１００ｍｍを超えた場合には、このドクターブレード刃先長設定治具１０の重量が大きくなり、作業者によるドクターブレード２０の刃先長の設定作業が困難となる。
【００４３】
また、刃先突き当て部材１３は保持部１１に対して摺動自在となっており、保持部１１に、この保持部１１に対する刃先突き当て部材１３の位置を調整するための位置調整部１４が設けられていることにより、作業者は保持部１１に対する刃先突き当て部材１３の位置を的確かつ容易に調整することができ、ドクターブレード２０の設定刃先長を容易に変更することができる。
【００４４】
また、保持部１１には、刃先突き当て部材１３の位置を表示するための目盛１１ｐが形成されていることにより、作業者が保持部１１に対する刃先突き当て部材１３の位置を調整する際に、目盛１１ｐを確認しながら作業を行うことによりこの刃先突き当て部材１３の位置をより正確に設定することができ、ドクターブレード２０の刃先長をより精度良く設定することができる。
【００４５】
また、ドクターブレード保持器３０にドクターブレード２０を取り付ける際に、ドクターブレード刃先長設定治具１０を２つ用い、各ドクターブレード刃先長設定治具１０でドクターブレード２０の両端近傍をそれぞれ保持させるようにすることにより、ドクターブレード刃先長設定治具１０の寸法を小さくすることができるとともにドクターブレード２０の全幅にわたって刃先長を精度良く設定することができるようになる。
【図面の簡単な説明】
【００４６】
【図１】本発明の実施の形態のドクターブレード刃先長設定治具の構成を示す概略側面図である。
【図２】図１に示すドクターブレード刃先長設定治具を用いてドクターブレードをドクターブレード保持器に保持させる際の状態を示す概略側面図である。
【図３】図１に示すドクターブレード刃先長設定治具の保持部および刃先突き当て部の構成の詳細を示す斜視図である。
【図４】ドクターブレード保持器に保持されたドクターブレードが印刷ユニットの版胴を摺擦する際の状態を示す概略構成図である。
【符号の説明】
【００４７】
１０    ドクターブレード刃先長設定治具
１１    保持部
１１ａ  基台
１１ｂ  軸
１１ｃ  挟持部材
１１ｐ  目盛
１２    ハンドル部
１２ａ  下部ハンドル部分
１２ｂ  上部ハンドル部分
１２ｃ  バネ
１３    刃先突き当て部材
１４    位置調整部
１４ａ  当て板
１４ｂ  調整ネジ
２０    ドクターブレード
３０    ドクターブレード保持器
３１    上部ドクターホルダ
３１ａ  前面
３２    下部ドクターホルダ
３２ａ  前面
３３    締結ボルト
４０    印刷ユニット
４１    インキパン
４２    ファニッシャーロール
４３    版胴
４４    圧胴
４５    ドクター装置
４６    ドクター架台
【図１】
0005124987.tif 000002
【図２】
0005124987.tif 000003
【図３】
0005124987.tif 000004
【図４】
0005124987.tif 000005